(57)【要約】【課題】光学素子の発熱を抑えるとともに、光学素子から出射される光の方向を精度良く制御することができる光学素子、光学ユニット、および撮像装置を提供することを目的とする。【解決手段】相互に屈折率が異なる、相互に不混和な、それぞれが光透過性を有する絶縁性流体および導電性流体が内部に収容された、少なくとも所定の光軸方向については光を透過させる流体収容器と、流体収容器内の導電性流体に接触した第１の電極と、流体収容器内の導電性流体に対して絶縁された、各々と第１電極との間に電圧が印加される、流体収容器の透明な面上に配置された透明な複数の第２電極と、複数の第２電極それぞれに印加される電圧を調整する、複数の第２電極とともに流体収容器の透明な面上に配置された透明な複数のトランジスタとを備える。【選択図】        図４
2006235476.tif 000002
【特許請求の範囲】
【請求項１】
相互に屈折率が異なる、相互に不混和な、それぞれが光透過性を有する絶縁性流体および導電性流体が内部に収容された、少なくとも所定の光軸方向については光を透過させる流体収容器と、
前記流体収容器内の導電性流体に接触した第１の電極と、
前記流体収容器内の導電性流体に対して絶縁された、各々と前記第１電極との間に電圧が印加される、前記流体収容器の透明な面上に配置された透明な複数の第２電極と、
前記複数の第２電極それぞれに印加される電圧を調整する、該複数の第２電極とともに前記流体収容器の透明な面上に配置された透明な複数のトランジスタとを備えたことを特徴とする光学素子。
【請求項２】
前記流体収容器は、内面の少なくとも一部が、前記導電性流体に対する濡れ性が前記絶縁性流体に対する濡れ性よりも低い被覆膜で覆われたものであることを特徴とする請求項１記載の光学素子。
【請求項３】
前記複数の第２電極が、マトリクス状に配置されたものであることを特徴とする請求項１記載の光学素子。
【請求項４】
少なくとも所定の光軸方向については光を透過させる、内部に流体が収容される流体収容器と、
相互に屈折率が異なる、相互に不混和な、それぞれが光透過性を有する絶縁性流体および導電性流体が内部に収容された、少なくとも所定の光軸方向については光を透過させる流体収容器と、
前記流体収容器内の導電性流体に接触した第１の電極と、
前記流体収容器内の導電性流体に対して絶縁された、各々と前記第１電極との間に電圧が印加される、前記流体収容器の透明な面上に配置された透明な複数の第２電極と、
前記複数の第２電極それぞれに印加される電圧を調整する、該複数の第２電極とともに前記流体収容器の透明な面上に配置された透明な複数のトランジスタと、
前記複数のトランジスタそれぞれに関し独立に駆動信号を印加して、前記第１電極と前記複数の第２電極それぞれとの間に電圧を印加させ、前記絶縁性流体と前記導電性流体との境界面の形状を変化させることによって、前記流体収容器を通過する光の屈折を制御する制御部とを備えたことを特徴とする光学ユニット。
【請求項５】
少なくとも所定の光軸方向については光を透過させる、内部に流体が収容される流体収容器と、
前記流体収容器内に収容された、光透過性を有する分散媒と、
前記分散媒内に分散した、光透過性を有し、該分散媒の屈折率とは異なる屈折率を有する、電場の印加を受けて該分散媒内で電気泳動する分散質と、
第１電極と、
各々と前記第１電極との間に電圧が印加される、前記流体収容器の透明な面上に配置された透明な複数の第２電極と、
前記複数の第２電極それぞれに印加される電圧を調整する、該複数の第２電極とともに前記流体収容器の透明な面上に配置された透明な複数のトランジスタと、
前記複数のトランジスタそれぞれに関し独立に駆動信号を印加して、前記第１電極と前記複数の第２電極それぞれとの間に電圧を印加させ、前記絶縁性流体と前記導電性流体との境界面の形状を変化させることによって、前記流体収容器を通過する光の屈折を制御する制御部と、
前記流体収容器を通ってきた被写体光が表面に結像されて、該被写体光を表わす画像信号を生成する撮像器とを備えたことを特徴とする撮像装置。
【発明の詳細な説明】
【技術分野】
【０００１】
本発明は、光を透過する光学素子、光学ユニット、および被写体光を結像して画像データを取得する撮像装置に関する。
【背景技術】
【０００２】
従来より、焦点距離が可変なレンズとして、液晶の電気光学効果を利用して焦点距離を変化させる液晶レンズが知られている。例えば、特許文献１、および特許文献２には、２枚の光透過性基板と、それら２枚の光透過性基板の間に封入された液晶層と、液晶層に電場を印加する電極とで構成された液晶レンズについて記載されている。この液晶レンズでは、印加される電場の大きさに応じて液晶分子の配向状態が変化し、これにより液晶レンズの屈折率が変化してレンズとしての焦点距離が調整される。
【０００３】
また、上記の液晶レンズの他にも、導電性の液体に電圧を印加して液面形状を変化させることにより焦点距離を変化させる液体レンズも知られている。例えば、非特許文献１には、内壁が撥水性のコーティングで覆われたチューブと、チューブ内に封入された導電性の水性液体および非導電性のオイルと、チューブ内の水性液体に電場を印加する電極とで構成された液体レンズについて記載されている。この液体レンズでは、導電性の水性液体に電圧が印加されていない状態では、水性液体は半球状の固まりとなっており、水性液体とオイルとの界面は凸状である。この界面は、導電性の水性液体に印加された電場の大きさに応じて、凸状から凹状まで変化する。このため、レンズとしての曲率半径が変化することとなり、焦点距離を自在に変えることができる。
【特許文献１】特開２００１−２７２６４６号公報
【特許文献２】特開２００４−４６１６号公報
【非特許文献１】“Ｐｈｉｌｉｐｓ’Ｆｌｕｉｄ  Ｌｅｎｓｅｓ”、［ｏｎｌｉｎｅ］、Ｍａｒｃｈ  ０３，２００４、Ｒｏｙａｌ  Ｐｈｉｌｉｐｓ  Ｅｌｅｃｔｒｏｎｉｃｓ、［平成１６年３月３１日検索］、インターネット＜ＵＲＬ：ｈｔｔｐ：／／ｗｗｗ．ｄｐｒｅｖｉｅｗ．ｃｏｍ／ｎｅｗｓ／０４０３／０４０３０３０２ｐｈｉｌｉｐｓｆｌｕｉｄｌｅｎｓ．ａｓｐ＞
【発明の開示】
【発明が解決しようとする課題】
【０００４】
上述した特許文献１に提案された技術では、液晶分子の長軸方向の屈折率（ｎ‖）と短軸方向の屈折率（ｎ⊥）との差分Δｎ（ｎ‖−ｎ⊥）を利用することで液晶レンズの焦点距離を変化させるということが行なわれる。しかし、この差分Δｎが小さ過ぎてレンズとしての屈折力を自在に変化させることができない。
【０００５】
また、上述した屈折率や形状を変えてレンズ中心を移動させることができれば、レンズから出射される光の方向を調整することができるため、そのようなレンズをカメラ等に搭載すると、被写体を撮影する際の手ぶれの防止などに使用することができる。上述した特許文献１、特許文献２、および非特許文献１に記載されたレンズでレンズ中心を移動させるとすると、レンズに複数の電極を配置し、それら複数の電極それぞれに電圧を引導する駆動線を繋いで、複数の電極から印加される電圧を個別に制御することが考えられる。しかし、レンズ中心の移動を細かく制御しようとすると、多数の電極と駆動線とを設ける必要があり、トランジスタを用いない駆動方式の場合、順次異なる箇所に電圧印加させていく必要があるため屈折率を瞬時に変化させることが困難であり、さらに、レンズの近くに引導電圧が集中してレンズが発熱し、レンズの屈折率が変化してしまうという問題がある。一方、トランジスタを用いた駆動方式の場合、屈折率を瞬時に変化させることは可能であるが、通常のトランジスタはブラックマトリックスで光を遮断させる必要があり、開口率が小さくなるためレンズとしての機能が低下するという問題がある。
【０００６】
尚、この上述した問題は、レンズのみに限らず、並行平面板やプリズムなどといった光学素子に一般的に当てはまるものである。
【０００７】
本発明は、上記事情に鑑み、光学素子の発熱を抑えるとともに、光学素子から出射される光の方向を精度良く制御することができる光学素子、光学ユニット、および撮像装置を提供することを目的とする。
【課題を解決するための手段】
【０００８】
上記目的を達成する本発明の光学素子は、相互に屈折率が異なる、相互に不混和な、それぞれが光透過性を有する絶縁性流体および導電性流体が内部に収容された、少なくとも所定の光軸方向については光を透過させる流体収容器と、
流体収容器内の導電性流体に接触した第１の電極と、
流体収容器内の導電性流体に対して絶縁された、各々と第１電極との間に電圧が印加される、流体収容器の透明な面上に配置された透明な複数の第２電極と、
複数の第２電極それぞれに印加される電圧を調整する、複数の第２電極とともに流体収容器の透明な面上に配置された透明な複数のトランジスタとを備えたことを特徴とする。
【０００９】
近年、透明なトランジスタを作成できることが報告されている（特開２００４−１０３９５公報参照）。本発明は、このような透明なトランジスタを利用するものである。
【００１０】
本発明の光学素子によると、第１電極と、複数の第２電極それぞれとの相互間に電圧が印加されると、第１の電極から導電性流体中に電荷が放出されるとともに、各第２の電極にはその電荷とは逆極性の電荷が集まる。この結果、導電性流体中の電荷と、各第２電極に集まった電荷とがそれぞれにクーロン力によって引き合い、導電性流体と絶縁性流体との境界面の形状が変化する。導電性流体と絶縁性流体とは相互に異なる屈折率を有しているため、それらの液面の形状が変化することによって、光学素子としての屈折率の分布形状が変化して、光学素子から出射される光の方向が調整される。
【００１１】
また、複数の第２電極には、それら第２電極それぞれに印加される電圧を調整する複数の透明トランジスタが備えられているため、高速、かつ高精度に光学素子の焦点距離を調整することができる。また、それら複数の透明トランジスタで複数の第２電極それぞれの印加電圧を作るので、第２電極それぞれに電圧を引導する電圧線が不要となり、光学素子に大きな電圧が集中して導かれることによる発熱や、光学素子の屈折率のずれといった不具合が回避される。
【００１２】
また、本発明の光学素子において、上記流体収容器は、内面の少なくとも一部が、導電性流体に対する濡れ性が絶縁性流体に対する濡れ性よりも低い被覆膜で覆われたものであることが好ましい。
【００１３】
このような被覆膜が設けられることによって、導電性流体と絶縁性流体との境界面の形状が効率よく変化することとなる。
【００１４】
また、本発明の光学素子において、上記複数の第２電極が、マトリクス状に配置されたものであることが好ましい。
【００１５】
マトリクス状に配置された複数の第２電極それぞれに印加される電圧を個別に制御することによって、光学素子に所望の屈折率分布を形成することができる。
【００１６】
また、上記目的を達成する本発明の光学ユニットは、少なくとも所定の光軸方向については光を透過させる、内部に流体が収容される流体収容器と、
相互に屈折率が異なる、相互に不混和な、それぞれが光透過性を有する絶縁性流体および導電性流体が内部に収容された、少なくとも所定の光軸方向については光を透過させる流体収容器と、
流体収容器内の導電性流体に接触した第１の電極と、
流体収容器内の導電性流体に対して絶縁された、各々と第１電極との間に電圧が印加される、流体収容器の透明な面上に配置された透明な複数の第２電極と、
複数の第２電極それぞれに印加される電圧を調整する、複数の第２電極とともに流体収容器の透明な面上に配置された透明な複数のトランジスタと、
複数のトランジスタそれぞれに関し独立に駆動信号を印加して、第１電極と複数の第２電極それぞれとの間に電圧を印加させ、絶縁性流体と導電性流体との境界面の形状を変化させることによって、流体収容器を通過する光の屈折を制御する制御部とを備えたことを特徴とする。
【００１７】
本発明の光学ユニットによると、本発明の光学素子と同様に、光学ユニットの発熱を抑えるとともに、光学ユニットから出射される光の方向を精度良く制御することができる。
【００１８】
なお、本発明にいう光学ユニットについては、ここではその基本形態のみを示すのにとどめるが、これは単に重複を避けるためであり、本発明にいう光学ユニットには、上記の基本形態のみではなく、前述した光学素子の各形態に対応する各種の形態が含まれる。
【００１９】
また、上記目的を達成する本発明の撮像装置は、少なくとも所定の光軸方向については光を透過させる、内部に流体が収容される流体収容器と、
流体収容器内に収容された、光透過性を有する分散媒と、
分散媒内に分散した、光透過性を有し、分散媒の屈折率とは異なる屈折率を有する、電場の印加を受けて分散媒内で電気泳動する分散質と、
第１電極と、
各々と第１電極との間に電圧が印加される、流体収容器の透明な面上に配置された透明な複数の第２電極と、
複数の第２電極それぞれに印加される電圧を調整する、複数の第２電極とともに流体収容器の透明な面上に配置された透明な複数のトランジスタと、
複数のトランジスタそれぞれに関し独立に駆動信号を印加して、第１電極と複数の第２電極それぞれとの間に電圧を印加させ、絶縁性流体と導電性流体との境界面の形状を変化させることによって、流体収容器を通過する光の屈折を制御する制御部と、
流体収容器を通ってきた被写体光が表面に結像されて、被写体光を表わす画像信号を生成する撮像器とを備えたことを特徴とする。
【００２０】
本発明にいう撮像器とは、典型的には、光を受光して受光信号を生成する受光素子が複数配備されたＣＣＤや、ＣＭＯＳセンサなどを指す。
【００２１】
本発明の撮像装置によると、光学素子を出射する光の方向を精度良く調節することができ、高画質な撮影画像を得ることができる。
【００２２】
尚、本発明にいう撮像装置については、ここではその基本形態のみを示すのにとどめるが、これは単に重複を避けるためであり、本発明にいう撮像装置には、上記の基本形態のみではなく、前述した光学素子の各形態に対応する各種の形態が含まれる。
【発明の効果】
【００２３】
本発明によれば、光学素子の発熱を抑えるとともに、光学素子から出射される光の方向を精度良く制御することができる光学素子、光学ユニット、および撮像装置を提供することができる。
【発明を実施するための最良の形態】
【００２４】
以下、本発明の実施の形態を説明するのに先立って、上述した非特許文献１に記載された液体レンズの問題点について詳しく分析する。
【００２５】
図１は、比較例である液体レンズの概略構成図である。以下では、矢印Ｏの方向に光が透過するものとし、光の入射側（図１の上側）を上側、光の出射側（図１の下側）を下側と称する。
【００２６】
図１に示すように、液体レンズ１は、ガラス製のチューブ１１ａの両端がガラス製のキャップ１１ｂ，１１ｃで塞がれたガラス製の容器１１の内部に、支持電解質が加えられた透明な水２１と、絶縁性液体である透明な油２２とが互いに混じり合わずに収容されている。水２１よりも油２２の方が光の屈折率が大きいため、液体レンズ１では、油２２が光を屈折させるレンズの役割を担う。
【００２７】
容器１１の、チューブ１１ａの内面と、チューブ１１ａの上端を塞ぐキャップ１１ｂの内面は、撥水性を有する撥水性膜１５で覆われており、チューブ１１ａの下端を塞ぐキャップ１１ｃの内面は、親水性を有する親水性膜１６で覆われている。
【００２８】
また、チューブ１１ａと撥水性膜１５との間には、絶縁膜１４が設けられており、液体レンズ１には、水２１と接する陽極１２と、絶縁膜１４によって水２１と絶縁された陰極１３も備えられている。
【００２９】
陽極１２と陰極１３との相互間に電圧が印加されていない状態では、図１のパート（Ａ）に示すように、水２１は撥水性膜１５と反撥して親水性膜１６と接触するため、水２１と撥水性膜１５との接触部分Ｐ1が小さくなる。このため、水２１は半球形状に滞留し、水２１に押された油２２は円筒形状から半球を刳り貫いた形状に滞留する。油２２からみたときの、水２１と油２２との境界面の形状は凹状であるため、パート（Ａ）では、液体レンズ１は凹レンズとして機能する。
【００３０】
また、例えば、陽極１２にプラスの電圧を印加し、陰極１３にマイナスの電圧を印加すると、陽極１２から水２１にプラス電荷３１ａが放出され、陰極１３にはマイナス電荷３１ｂが溜まる。このとき、水２１に放出されたプラス電荷３１ａが、クーロン力によって陰極１３のマイナス電荷３１ｂに引き付けられ、水２１と撥水性膜１５との接触部分Ｐ2が印加電圧に応じて大きくなる。パート（Ｂ）では、油２２からみたときの、水２１と油２２との境界面の形状は凸状となっており、液体レンズ１は凸レンズとして機能する。また、陽極１２および陰極１３に印加される電圧を調整することによって、水２１と油２２との境界面の形状を少しずつ変化させることができる。
【００３１】
このように、液体レンズ１によると、レンズを移動させる機構を設けなくても、水２１と油２２との境界面の形状を変化させることによって、ズーム機能やフォーカス機能を実現することができる。
【００３２】
ここで、この液体レンズ１をカメラなどに搭載する場合、撮影者がレリーズスイッチを押すときなどに手ブレが生じてしまう恐れがある。液体レンズ１では、水２１と油２２との境界面の形状をおおまかにしか制御することができないため、液体レンズ１を出射する光の方向を精度良く調整することができず、手ブレの補正などに使用することは困難である。電圧を印加することによって液面形状を変える液体レンズを手ブレの補正に使用する場合には、例えば、陰極１３の替わりにマトリクス状に並べられた複数の電極を備え、それら複数の電極それぞれに電圧を引導する駆動線を繋いで、複数の電極から印加される電圧を個別に制御することが考えられるが、引導電圧が電極近くに集中して水２１や油２２が発熱し、液体レンズの屈折率が変化してしまうという問題がある。
【００３３】
本発明は、上記のような詳しい分析に基づいたものである。
【００３４】
以下図面を参照して本発明の実施の形態を説明する。
【００３５】
図２は、本発明の一実施形態が適用されたデジタルカメラを前面斜め上から見た外観斜視図である。
【００３６】
図２に示すように、このデジタルカメラ１００の前面中央部には、撮影レンズ１０１が備えられている。また、このデジタルカメラ１００の前面上部には、光学式ファインダ対物窓１０２および補助光発光部１０３が備えられている。さらに、このデジタルカメラ１００の上面には、スライド式の電源スイッチ１０４およびレリーズスイッチ１５０が備えられている。
【００３７】
図３は、図１に示すデジタルカメラ１００の概略構成図である。
【００３８】
図３に示すように、デジタルカメラ１００の内訳は、大きく分けて撮影光学系１１０と信号処理部１２０とに分かれる。デジタルカメラ１００には、それらのほかにも、撮影した画像を表示させるための画像表示部１３０、撮影した画像信号を記録しておくための外部記録媒体１４０、撮影のための各種処理をデジタルカメラ１００に行なわせる、ズームスイッチ１７０、撮影モードスイッチ１６０、およびレリーズスイッチ１５０、デジタルカメラ１００の移動を検知する移動センサ１８０が設けられている。
【００３９】
まず撮影光学系１１０の構成を、図３を参照して説明する。
【００４０】
デジタルカメラ１００では、図３の左方から被写体光が入射し、ズームレンズ１１６、フォーカスレンズ１１５、および手ブレ補正レンズ１１４を経て、被写体光の光量を調整するアイリス１１３を通過した後、シャッタ１１２が開いている場合はＣＣＤ１１１に結像する。このＣＣＤ１１１は、本発明にいう撮像器の一例に相当する。本来、撮影光学系には複数のレンズが配備され、それら複数のレンズのうち少なくとも１つのレンズがピント調節に大きく関与し、各レンズの相対位置が焦点距離に関与するが、この図３では、焦点距離の変化に係わるレンズをズームレンズ１１６として模式的に示しており、ピントの調節に係わるレンズをフォーカスレンズ１１５として模式的に示している。
【００４１】
ズームレンズ１１６、フォーカスレンズ１１５、アイリス１１３、およびシャッタ１１２は、ズームモータ１１６ａ、フォーカスモータ１１５ａ、アイリスモータ１１３ａ、およびシャッタモータ１１２ａによりそれぞれ駆動され移動する。また、手ブレ補正レンズ１１４には、モータの替わりに、手ブレ補正レンズ１１４のレンズ形状を変化させる手ブレコントローラ１１４ａが設けられている。これらズームモータ１１６ａ、フォーカスモータ１１５ａ、アイリスモータ１１３ａ、およびシャッタモータ１１２ａを作動させる指示は、信号処理部１２０中のデジタル信号処理部１２０ｂからモータドライバ１２０ｃを通じて伝達されるとともに、手ブレコントローラ１１４ａを作動させる指示は、デジタル信号処理部１２０ｂから直接伝達される。また、手ブレコントローラ１１４ａには、移動センサ１８０で検知された検知結果が伝えられる。本実施形態では、移動センサ１８０は、デジタルカメラ１００の仰角方向（上下方向）の角速度が測定される仰角速度センサ１８１と、デジタルカメラ１００の方位角方向（左右方向）の角速度が測定される方位角速度センサ１８２とで構成されており、仰角速度センサ１８１、および方位角速度センサ１８２それぞれにおける測定結果が手ブレコントローラ１１４ａに伝えられる。手ブレコントローラ１１４ａは、デジタル信号処理部１２０ｂから作動指示を受けると、移動センサ１８０から伝えられた検知結果に応じて作動する。
【００４２】
ズームレンズ１１６は、ズームモータ１１６ａによって光軸に沿う方向に移動される。ズームレンズ１１６が、信号処理部１２０からの信号に応じた位置に移動されることによって、焦点距離が変化して撮影倍率が決定される。
【００４３】
フォーカスレンズ１１５は、ＴＴＬＡＦ（Ｔｈｒｏｕｇｈ  Ｔｈｅ  Ｌｅｎｓ  Ａｕｔｏ  Ｆｏｃｕｓ）機能を実現するためのレンズである。このＴＴＬＡＦ機能とは、光軸に沿う方向にフォーカスレンズを移動させながら、ＣＣＤ１１１で得られた画像信号のコントラストを信号処理部１２０のＡＦ／ＡＥ演算部１２６で検出し、そのコントラストのピークが得られるレンズ位置をピント位置として、フォーカスレンズ１１５をピント位置に調節するものである。このＴＴＬＡＦ機能によって、コントラストがピークになる被写体（つまり、最も近くにある最近被写体）に自動的に焦点を合わせて撮影を行うことができる。
【００４４】
手ブレ補正レンズ１１４は、デジタルカメラ１００が動いてしまったときでも、ＣＣＤ１１１上の正しい位置に被写体光が結像されるように、被写体光の進路を修正する手ブレ補正機能を実現するためのレンズである。本実施形態においては、手ブレコントローラ１１４ａが手ブレ補正レンズ１１４のレンズ形状を変化させることによって、被写体光の進路を修正する。この手ブレ補正レンズ１１４の構成と、レンズ形状を変化させる方法については、後で詳しく説明する。
【００４５】
アイリス１１３は、デジタル信号処理部１２０ｂのＡＦ／ＡＥ演算部１２６から与えられた指示に基づいて駆動されることによって、被写体光の光量を調整する。
【００４６】
以上が撮影光学系１１０の構成である。
【００４７】
続いて信号処理部１２０の構成を説明する。撮影光学系でＣＣＤ１１１に結像させた被写体像が画像信号としてアナログ処理（Ａ／Ｄ）部１２０ａに読み出され、このアナログ処理部（Ａ／Ｄ）１２０ａでアナログ信号がデジタル信号に変換されデジタル信号処理部１２０ｂへと供給される。デジタル信号処理部１２０ｂにはシステムコントローラ１２１が配備されており、そのシステムコントローラ１２１内の動作の手順を示したプログラムにしたがってデジタル信号処理部１２０ｂ内の信号処理が行なわれる。このシステムコントローラ１２１と、画像信号処理部１２２、画像表示制御部１２３、画像圧縮部１２４、メディアコントローラ１２５、ＡＦ／ＡＥ演算部１２６、キーコントローラ１２７、バッファメモリ１２８、内部メモリ１２９との間のデータの受け渡しはバス１２００を介して行なわれ、そのバス１２００を介してデータの受け渡しが行なわれるときのバッファとして内部メモリ１２９が働いている。この内部メモリ１２９に各部の処理プロセスの進行状況に応じて変数となるデータが随時書き込まれて、システムコントローラ１２１、および画像信号処理部１２２、画像表示制御部１２３、画像圧縮部１２４、メディアコントローラ１２５、ＡＦ／ＡＥ演算部１２６、キーコントローラ１２７の各部では、そのデータを参照することにより適切な処理が行なわれる。つまり、システムコントローラ１２１からの指示がバス１２００を介して上記の各部に伝えられ、各部の処理プロセスが立ち上げられる。そして、その内部メモリ１２９のデータがプロセスの進行状況に応じて書き換えられ、さらにシステムコントローラ１２１側で参照されて上記の各部の動作が管理される。言い換えれば、電源が投入され、システムコントローラ１２１内のプログラムの手順にしたがって各部のプロセスが立ち上げられる。たとえば、レリーズスイッチ１５０、ズームスイッチ、撮影モードスイッチのスイッチが操作されると、その操作されたという情報がキーコントローラ１２７を経由してシステムコントローラ１２１に伝えられ、その操作に応じた処理がシステムコントローラ１２１内のプログラムの手順にしたがって行われる。
【００４８】
レリーズ操作が行われると、ＣＣＤから読み出された画像データは、アナログ処理（Ａ／Ｄ）部１２０ａでアナログ信号からデジタル信号に変換され、このデジタル化された画像データがデジタル信号処理部１２０ｂ内のバッファメモリ１２８にいったん蓄えられる。このデジタル化された画像データのＲＧＢ信号が画像信号処理部１２２でＹＣ信号に変換され、さらに画像圧縮部１２４でＪＰＥＧ圧縮と呼ばれる圧縮が行なわれて画像信号が画像ファイルとなってメディアコントローラ１２５を介して外部記録媒体１４０に記録される。この画像ファイルとして記録された画像データは、画像表示制御部１２３を通じて画像表示部１３０において再生される。この処理の際、ＲＧＢ信号に基づいてピント調節および露出調節の演算を行なっているのがＡＦ／ＡＥ演算部である。このＡＦ／ＡＥ演算部１２６ではピント調節のためにＲＧＢ信号から被写体距離ごとにコントラストを検出することが行なわれる。この検出結果に基づいて、フォーカスレンズ１１５によってピント調整が行われる。またＡＦ／ＡＥ演算部ではＲＧＢ信号から輝度信号が抽出され、そこから被写界輝度が検出される。この結果に基づき、ＣＣＤに与えられる被写体光の光量が適切になるように、アイリス１１３によって露出調節が行なわれる。
【００４９】
デジタルカメラ１００は、基本的には以上のように構成されている。
【００５０】
以下では、手ブレ補正レンズ１１４について詳しく説明する。
【００５１】
図４は、手ブレ補正レンズ１１４の概略構成図である。なお、図４の左側から被写体光が入射し、光が入射する側（図４の左側）を前側、光が出射する側（図４の右側）を後側と称して説明する。
【００５２】
手ブレ補正レンズ１１４は、チューブ２００ａの前端が透明基板２００ｂで塞がれた流体収容器２００内に、導電性流体４０１と、導電性流体４０１とは不混和な絶縁性流体４０２とが収容されて形成されている。
【００５３】
流体収容器２００は、例えば、ゼオノア（日本ゼオン社製。双環性脂肪族モノマーからなるプラスチックの商品名）などといった、光透過性を有する材料で構成されている。この流体収容器２００は、本発明にいう流体収容器の一例に相当する。
【００５４】
流体収容器２００には、チューブ２００ａの前側に、流体と接触する陽極２１０が備えられており、チューブ２００ａの後側に、透明な絶縁膜２０３（例えば、ポリイミド膜など）によって流体と絶縁された陰極２２０が備えられている。これら陽極２１０および陰極２２０は、図３にも示す手ブレコントローラ１１４ａに接続されている。手ブレコントローラ１１４ａは、陽極２１０と陰極２２０との間に電圧を印加する電源２３０と、陰極２２０に印加される電圧を制御する電圧制御部２４０とで構成されている。手ブレコントローラ１１４ａは、本発明にいう制御部の一例に相当する。
【００５５】
ここで、陽極２１０は１つの電極で構成されているが、陰極２２０は、複数の電極と、それら複数の電極それぞれに印加される電圧を調整する複数の透明なトランジスタとで構成されている。陽極２１０は、本発明にいう第１電極の一例に相当する。
【００５６】
図５は、陰極２２０の概略構成図である。
【００５７】
陰極２２０は、絶縁膜２０３（および、後述する撥水性膜２０２）を挟んで流体収容器２００内の流体と対向する複数の透明な駆動電極２２０ａと、それら複数の駆動電極２２０ａそれぞれに印加される電圧を調整する複数の透明トランジスタ２２０ｂとで構成されている。駆動電極２２０ａは、本発明にいう第２電極の一例にあたり、透明トランジスタ２２０ｂは、本発明にいうトランジスタの一例に相当する。
【００５８】
図６は、駆動電極２２０ａおよび透明トランジスタ２２０ｂの配置を説明するための図である。
【００５９】
図４に示す電圧制御部２４０には、陰極２２０への引導電圧を制御するＸ方向ドライバ２４１、およびＹ方向ドライバ２４２が備えられており、透明トランジスタ２２０ｂに駆動信号を伝える駆動線２４０Ｘ，２４０Ｙが、Ｘ方向ドライバ２４１、およびＹ方向ドライバ２４２それぞれから複数本ずつ延びている。これらの駆動線２４０Ｘ，２４０Ｙが交わる各位置に、駆動電極２２０ａと透明トランジスタ２２０ｂとの組が１組ずつ配置されている。図６に示す円形は、流体収容器２００の外径を表わしている。
【００６０】
Ｘ方向およびＹ方向から１本ずつ駆動線が選択されると、それらの駆動線の交点上に配置された透明トランジスタが１つに決定される。１本の駆動線上には複数の透明トランジスタが存在するため、同じ駆動線上の透明トランジスタに対しては、時間差をつけてそれぞれの駆動信号が与えられる。Ｘ方向ドライバ２４１、およびＹ方向ドライバ２４２は、選択した透明トランジスタに繋がる駆動線２４０Ｘ，２４０Ｙに駆動信号を与えることによって、複数の透明トランジスタ２２０ｂを個別に制御することができ、複数の駆動電極２２０ａそれぞれに印加される電圧の分布を細かく調整することができる。また、複数の駆動電極２２０ａそれぞれに電圧を引導する電圧線を設ける必要がないため、導電性流体４０１および絶縁性流体４０２の発熱を抑えることができる。
【００６１】
図４に戻って説明を続ける。
【００６２】
流体収容器２００は、チューブ２００ａの内面と、チュープ２００ａの前端を塞ぐキャップ２００ｂの、流体と接触する面（内面）が、親水性を有する親水性膜２０１で覆われており、チューブ２００ａの後端に設けられた陰極２２０が、絶縁膜２０３を介して撥水性膜２０２で覆われている。撥水性膜２０２は、本発明にいう被覆膜の一例に相当する。
【００６３】
上記のような流体収容器２００に、光透過性を有し、相互に屈折率が異なる導電性流体４０１と絶縁性流体４０２とが収容される。本実施形態では、導電性流体４０１として、水に支持電解質（テトラブチルアンモニウムパークロレイト０．１ｍｏｌ／Ｌ）が加えられた親水性液体が適用され、絶縁性流体４０２として、疎水性の有機溶媒（アイソパー：エクソン社製）が適用される。この導電性流体４０１は、本発明にいう導電性流体の一例にあたり、絶縁性流体４０２は、本発明にいう絶縁性流体の一例に相当する。
【００６４】
陽極２１０と陰極２２０との間に電圧が印加されていない状態では、親水性の導電性流体４０１が撥水性膜２０２と反撥し、疎水性の絶縁性流体４０２が親水性膜２０１と反撥することによって、導電性流体４０１と絶縁性流体４０２との境界面が、図４のパート（Ａ）に示すような状態で安定する。導電性流体４０１の屈折率ｎ１＜絶縁性流体４０２の屈折率ｎ２とすると、図４のパート（Ａ）に示す安定状態では、絶縁性流体４０２から見たときの境界面が凸形状を有しているため、手ブレ補正レンズ１１４が凸レンズとして機能する。
【００６５】
例えば、図６に示すＸ方向ドライバ２４１およびＹ方向ドライバ２４２で、図５に示す複数の透明トランジスタ２２０ｂに、手ブレ補正レンズ１１４の上側のみに大きい電圧を印加する駆動信号を与えると、上側の駆動電極２２０ａにのみ大きな電圧が印加される。このとき、図４に示す手ブレ補正レンズ１１４において、陽極２１０から導電性流体４０１に放出されたプラス電荷３００ａと、上側の駆動電極２２０ａに溜まったマイナス電荷３００ｂとがクーロン力によって引き合って、導電性流体４０１と絶縁性流体４０２との境界面が、図４のパート（Ｂ）に示すように、下方に偏った凸形状に変化する。この結果、レンズの中心位置（絶縁性流体４０２と導電性流体４０１との境界における凸部分の位置）が下方向に移動され、手ブレ補正レンズ１１４を通過する光の進路が下方に変更される。
【００６６】
手ブレ補正レンズ１１４は、以上のように構成されている。
【００６７】
ここで、撮影者が図１に示すレリーズスイッチ１５０を押すときなどに、デジタルカメラ１００が動いてしまうことがある。このとき、デジタルカメラ１００の移動に伴って、図２に示すズームレンズ１１６、およびフォーカスレンズ１１５を通ってくる被写体光の進路が変わってしまうため、手ブレ補正を行わないと、ＣＣＤ１１１上の結像位置がずれてしまって、撮影画像に像ずれなどが生じてしまう恐れがある。
【００６８】
本実施形態のデジタルカメラ１００では、手ブレ補正レンズ１１４の、絶縁性流体４０２と導電性流体４０１との境界位置が変化されることによって、デジタルカメラ１００の移動による被写体光の進路が修正される。
【００６９】
撮影者によって図１に示すレリーズスイッチ１５０が押されると、手ブレコントローラ１１４ａは、移動センサ１８０から、デジタルカメラ１００の移動における角速度（仰角速度、および方位角速度）を取得する。
【００７０】
続いて、手ブレコントローラ１１４ａの電圧制御部２４０は、Ｘ方向ドライバ２４１およびＹ方向ドライバ２４２によって、移動センサ１８０から取得した角速度に相当する速さで電圧を変化させる。これにより、移動センサ１８０から取得した仰角速度に対応した速度で、絶縁性流体４０２と導電性流体４０１との境界位置が上下方向に変化し、方位角速度に対応した速度で、絶縁性流体４０２と導電性流体４０１との境界位置が左右方向に変化する。Ｘ方向ドライバ２４１およびＹ方向ドライバ２４２は、複数の駆動線２４０Ｘ，２４０Ｙそれぞれを使って各透明トランジスタ２２０ｂに個別に駆動信号を与える。
【００７１】
各透明トランジスタ２２０ｂは、対応する各駆動電極２２０ａに印加される電圧を調整する。各駆動電極２２０ａと陽極２１０との間に電圧が印加されると、その電圧に応じて絶縁性流体４０２と導電性流体４０１との境界位置が移動し、手ブレ補正レンズ１１４を通過する被写体光の光路が調整される。
【００７２】
図７は、手ブレ補正レンズ１１４による光路変更を説明する図である。
【００７３】
デジタルカメラ１００が正しく正面を向いている状態では、図５に示す複数の透明トランジスタ２２０ｂによって複数の駆動電極２２０ａのうちの中央部分を除く外周部分の駆動電極２２０ａにのみ電圧が印加され、図７のパート（Ａ）に示すように、陽極２１０から放出されたプラス電荷３００ａと、外周部分の駆動電極２２０ａに溜まったマイナス電荷３００ｂとがクーロン力によって引き合って、絶縁性流体４０２と導電性流体４０１との境界が、凸形状を有し、その凸形状の中心が光軸上にくるように調整される。このとき、手ブレ補正レンズ１１４は、レンズ中心がデジタルカメラ１００の光軸に合わせて配置された凸レンズとして働き、被写体光ＬはＣＣＤ１１１上の正しい位置に集光される。
【００７４】
例えば、撮影者がレリーズボタン１５０を押すときに、デジタルカメラ１００の前面が上を向いてしまった場合（仰角方向の手ブレ）、図５に示す複数の透明トランジスタ２２０ｂによって、複数の駆動電極２２０ａのうちの上側の駆動電極２２０ａにのみ電圧が印加されて、図７のパート（Ｂ）に示すように、絶縁性流体４０２と導電性流体４０１との境界位置が凸形状を維持したまま下方向に変化する。その結果、手ブレ補正レンズ１１４に入射してきた光Ｌは、ＣＣＤ１１１上の正しい位置に結像される。
【００７５】
このように、本実施形態のデジタルカメラ１００によると、手ブレを精度良く回避し、高画質な撮影画像を得ることができる。
【００７６】
ここで、上記では、陽極２２０の複数の駆動電極２２０ａがマトリクス状に配置されていたが、これら複数の駆動電極２２０ａの電極配置は、マトリクス状には限らない。
【００７７】
図８は、複数の電極の配置例を示す図である。
【００７８】
図８のパート（ａ）に示す陽極５０１は、水平方向に形成されたストライプ状の電極５０１ａを有する。また、図８のパート（ｂ）に示す陽極５０２は、複数の同心円状の電極５０２ａを有する。このような陽極５０１，５０２を用いて絶縁性流体４０２と導電性流体４０１との境界位置を制御することにより、手ブレ補正レンズ１１４を通過する被写体光の光路を自在に制御してもよい
ここで、上記では、本発明の光学素子および光学ユニットが手ブレ防止に適用される例について説明したが、本発明の光学素子および光学ユニットは、フォーカスレンズやズームレンズなどに適用されてもよい。例えば、本発明の光学素子および光学ユニットがフォーカスレンズに適用される場合、第１の電極と複数の第２の電極それぞれとの間に、ＴＴＬＡＦ機能を実現するための電圧と、手ブレ補正機能を実現するための電圧とが印加されることによって、それらの機能を１つのレンズで実現することができる。
【００７９】
また、上記では、本発明にいう第１電極を１つだけ備える例について説明したが、本発明にいう第１電極は複数備えられるものであってもよく、それら複数備えられた第１電極それぞれに印加される電圧を制御する複数の透明トランジスタをさらに備えるものであってもよい。
【００８０】
また、上記では、本発明にいう複数の第２電極として、マトリクス状に配置された複数の第２電極を備える例について説明したが、本発明にいう複数の第２電極は、例えば、複数の第２電極を同心円状に配置するものであってもよい。
【００８１】
また、上記では、流体収容器中に、導電性流体と絶縁性流体の２種類の流体が収容された例について説明したが、本発明にいう流体収容器には、３種類以上の流体が収容されていてもよい。
【００８２】
また、上記では、本発明にいう導電性流体および絶縁性流体の一例として、導電性液体および絶縁性液体それぞれの実施例が示されているが、本発明にいう導電性流体および絶縁性流体は、ゾルなどであってもよい。
【００８３】
続いて、本発明を構成する各構成部分において採用可能な種々の形態について付記する。
＜流体＞
本発明にいう導電性流体、および絶縁性流体は、屈折率が互いに異なり、互いに混合しない２種類以上の流体であればよい。また、これらの流体の比重の差は、０．１以下であることが好ましい。
【００８４】
これらの流体の組み合わせとしては、いかなるものであってもよいが、好ましくは、水と有機溶媒の組み合わせである。有機溶媒としては、好ましくは、炭化水素（ヘキサン、ヘプタン、ペンタン、オクタン、アイソパー（エクソン社製）など）、炭化水素系芳香族化合物（ベンゼン、トルエン、キシレン、メシチレンなど）、ハロゲン系炭化水素（ジフルオロプロパン、ジクロロエタン、クロロエタン、ブロモエタンなど）、ハロゲン系炭化水素系芳香族化合物（クロロベンゼンなど）、エーテル系化合物（ジフェニルエーテル、アニソール、ジフェニルエーテルなど）が好ましい。さらに好ましくは、テトラリン、デイフノンである。
【００８５】
また、水には、電気伝導度を高める目的で、支持電解質を添加することが好ましい。支持電解質としては、ＴＭＡＰ：Ｔｅｔｒａｍｅｔｈｙｌａｍｍｏｎｉｕｍ  ｐｅｒｃｈｌｏｒａｔｅ、あるいは、ＴＢＡＦ：Ｔｅｔｒａｂｕｔｙｌａｍｍｏｎｉｕｍ  ｈｅｘａｆｌｕｏｒｏｐｈｏｓｐｈａｔｅ等が用いられる。
＜透明トランジスタ＞
透明トランジスタを形成させる基板としては、ガラス基板あるいはフイルム基板が用いられる。
【００８６】
透明トランジスタの形成方法としては、基板上に、ＭＢＥ法、パルスレーザー蒸着法（ＰＬＤ法）等により、ＺｎＯ単結晶薄膜をエピタキシャル成長させ、次に、該ＺｎＯ薄膜上に、ＩｎＭＯ3（ＺｎＯ）m（Ｍ＝Ｉｎ，  Ｆｅ，  Ｇａ，  Ａｌ，  ｍ＝１以上５０未満の整数）と記述されるホモロガス化合物薄膜を、ターゲットとして、該酸化物の多結晶焼結体を使用して、ＭＢＥ法、パルスレーザー蒸着法（ＰＬＤ法）等により成長させる方法が挙げられる。
【００８７】
得られた薄膜は、単結晶膜である必要はなく、多結晶膜でも、アモルファス膜でも良い。最後に、薄膜全体をカバーできるように高融点化合物，例えばＡｌ2Ｏ3を被せ、高温で、ＺｎＯ蒸気を含む大気圧中で加熱拡散処理を行なうことが好ましい。
【００８８】
ＩｎＭＯ3（ＺｎＯ）m  （Ｍ＝Ｉｎ，  Ｆｅ，  Ｇａ，  又はＡｌ，  ｍ＝１以上５０未満の整数）とＺｎＯ膜が相互に拡散・反応し、温度を適切に設定すれば、均一組成ＩｎＭＯ3（ＺｎＯ）m´（Ｍ＝Ｉｎ，  Ｆｅ，  Ｇａ，又はＡｌ，  ｍ´＝１以上５０未満の整数）となる。ｍ´は、ＩｎＭＯ3（ＺｎＯ）m（Ｍ＝Ｉｎ，  Ｆｅ，  Ｇａ，又は  Ａｌ，  ｍ＝１以上５０未満の整数）とＺｎＯ膜厚比から決まるが、ＺｎＯ膜厚が５ｎｍ未満で、ＩｎＭＯ3（ＺｎＯ）m（Ｍ＝Ｉｎ，  Ｆｅ，  Ｇａ，  又はＡｌ，  ｍ＝１以上５０未満の整数）膜厚が１００ｎｍを越える場合には、ｍ＝ｍ´である。
【００８９】
適切な温度は８００度以上，１６００度以下，より好ましくは１２００度以上，１５００度以下である。８００度未満では拡散が遅く，均一組成のＩｎＭＯ3（ＺｎＯ）m（Ｍ＝Ｉｎ，  Ｆｅ，  Ｇａ，  又はＡｌ，  ｍ＝１以上５０未満の整数）が得られない。また，１６００度を越えるとＺｎＯの蒸発が抑えられなくなり均一組成のＩｎＭＯ3（ＺｎＯ）m（Ｍ＝Ｉｎ，  Ｆｅ，  Ｇａ，  又はＡｌ，  ｍ＝１以上５０未満の整数）が得られない。
【００９０】
また、反応性固相エピタキシャル成長法で得られたＺｎＯを含むホモロガス単結晶膜は、化学量論組成に近く、室温では、１０８Ｗ・ｃｍ以上の高い絶縁性を示し、ノーマリーオフ電界効果型トランジスタに適している。
【００９１】
得られたＺｎＯを主たる構成成分として含有するホモロガス単結晶薄膜を活性層とした、トップゲート型ＭＩＳ電界効果型トランジスタを作製することができる。
【００９２】
まず、基板上にエピタキシャル成長したＺｎＯを主たる構成成分として含有するホモロガス単結晶薄膜上にゲート絶縁膜及びゲート電極用の金属膜を形成する。
【００９３】
ゲート絶縁膜には、Ａｌ2Ｏ3が最も適している。ゲート電極用金属膜は、Ａｕ，Ａｇ，Ａｌ、又はＣｕ等を用いることができる。光リゾグラフィー法及びドライエッチング、又はリフトオフ法により、ゲート電極４を作製し、最後に、ソース電極５及びドレイン電極６を作成する。
【００９４】
本発明の電界効果型トランジスタの形状は、トップゲート型ＭＩＳ電界効果型トランジスタ（ＭＩＳ−ＦＥＴ）、Ｊ−ＦＥＴ等も含まれる。
【００９５】
ＺｎＯを主たる構成成分として含有するホモロガスアモルファス薄膜を用いても、同様に、トップゲート型ＭＩＳ電界効果型トランジスタを作成することができる。また、アモルファス薄膜の場合は、エピタキシャル成長させる必要はないので、ＺｎＯエピタキシャル成長及び高温アニールプロセスを除くことができる。このために、ゲート電極を基板と膜の間に作りつけることが可能で、ボトムゲート型ＭＩＳ電界効果型トランジスタも作製することができる。
【００９６】
次に、上述した好ましい実施例を組み合わせて形成した、本発明における透明トランジスタの実施例について説明する。
【００９７】
作製例１．  単結晶ＩｎＧａＯ3（ＺｎＯ）5薄膜の作製
シリコン単結晶基板上にＰＬＤ法により厚み２ｎｍのＺｎＯ薄膜を基板温度７００度でエピタキシャル成長させた。次に、基板温度を室温まで冷却し、該ＺｎＯエピタキシャル薄膜上にＰＬＤ法により、厚み１５０ｎｍの多結晶ＩｎＧａＯ3（ＺｎＯ）5薄膜を堆積させた。こうして作製した二層膜を大気中に取り出し、電気炉を用いて、大気中、１４００度、３０ｍｉｎ加熱拡散処理した後、室温まで冷却した。
【００９８】
作製例２．  ＭＩＳＦＥＴ素子の作製フォトリソグラフィー法により、トップゲート型ＭＩＳＦＥＴ素子を作製した。ソースとドレイン電極及びゲート絶縁膜にはＡｕ及びアモルファスＡｌ2Ｏ3をそれぞれ用いた。チャネル長及びチャネル幅はそれぞれ０．０５ｍｍ及び０．２ｍｍである。
【００９９】
ここで、上記では、本発明の概念を実現するための基本的な実施形態について説明したが、本発明に採用する光学素子を実用化するにあたっては、光路上にゴミや水滴などが付着してレンズ性能が劣化してしまう不具合を防止するための工夫を施すことが好ましい。
【０１００】
例えば、流体が収容された容器の光路と交わる外面（以下では、この面を光透過面と称する）に撥水性膜を付設することが好ましい。光透過面に撥水性を付与することによって、ゴミや水滴の付着などが防止され、光学素子の高い光透過性を維持することができる。この撥水性膜を構成する材料としては、シリコーン樹脂、オルガノポリシロキサンのブロック共重合体、フッ素系ポリマー、およびポリテトラフルオロエタンなどが好ましい。
【０１０１】
また、光学素子を構成する容器の光透過面に、親水性膜を付設することも好ましい。光透過面に親水撥油性を付与することによっても、ゴミの付着を防止することができる。この親水性膜としては、アクリレート系ポリマーで構成されたものや、非イオン性オルガノシリコーン系界面活性剤などといった界面活性剤を塗布したものなどが好ましく、親水性膜の作製方法としては、シラン系モノマーのプラズマ重合や、イオンビーム処理などを適用することができる。
【０１０２】
また、光学素子を構成する容器の光透過面に、酸化チタンなどといった光触媒を付設することも好ましい。光と反応した光触媒によって汚れなどが分解され、光透過面をきれいに保つことができる。
【０１０３】
また、光学素子を構成する容器の光透過面に、帯電防止膜を付設することも好ましい。容器の光透過面に静電気が溜まったり、電極によって帯電してしまうと、光透過面にゴミや埃がくっついてしまう恐れがある。光透過面に帯電防止膜を付設することによって、このような不要物の付着を防止し、光学素子の光透過性を維持することができる。この帯電防止膜は、ポリマーアロイ系の材料で構成されていることが好ましく、このポリマーアロイ系が、ポリエーテル系や、ポリエーテルエステルアミド系や、カチオン性基を有するものや、レオミックス（商品名、第一工業製薬株式会社）であることが特に好ましい。また、この帯電防止膜が、ミスト法によって作製されたものであることが好ましい。
【０１０４】
また、光学素子を構成する容器に、防汚性素材を適用しても良い。防汚性素材としてはフッ素樹脂が好ましいが、具体的には、含フッ素アルキルアルコキシシラン化合物や、含フッ素アルキル基含有ポリマー、オリゴマー等が好ましく、上記硬化性樹脂と架橋可能な官能基を有するものが特に好ましい。また、防汚性素材の添加量は、防汚性を発現する必要最低量であることが好ましい。
【図面の簡単な説明】
【０１０５】
【図１】比較例である液体レンズの概略構成図である。
【図２】本発明の一実施形態が適用されたデジタルカメラを前面斜め上から見た外観斜視図である。
【図３】図２に示すデジタルカメラの概略構成図である。
【図４】手ブレ補正レンズ１１４の概略構成図である。
【図５】陰極２２０の概略構成図である。
【図６】駆動電極２２０ａおよび透明トランジスタ２２０ｂの配置を説明するための図である。
【図７】手ブレ補正レンズ１１４による光路変更を説明する図である。
【図８】複数の電極の配置例を示す図である。
【符号の説明】
【０１０６】
１    液体レンズ
１１    容器
１１ａ    チューブ
１１ｂ，１１ｃ    キャップ
１２    陽極
１３    陰極
１４    絶縁膜
１５    撥水性膜
１６    親水性膜
２１    油
２２    水
１００    デジタルカメラ
１０１    撮影レンズ
１０２    光学式ファインダ対物窓
１０３    補助光発光部
１０４    電源スイッチ
１１０    撮影光学系
１１１    ＣＣＤ
１１２    シャッタ
１１２ａ    シャッタモータ
１１３    アイリス
１１３ａ    アイリスモータ
１１４    手ブレ補正レンズ
１１４ａ    手ブレコントローラ
１１５    フォーカスレンズ
１１５ａ    フォーカスモータ
１１６    ズームレンズ
１１６ａ    ズームモータ
１２０    信号処理部
１２０ａ    アナログ処理（Ａ／Ｄ）部
１２０ｂ    デジタル信号処理部
１２０ｃ    モ−タドライバ
１２１    システムコントローラ
１２２    画像信号処理部
１２３    画像表示制御部
１２４    画像圧縮部
１２５    メディアコントローラ
１２６    ＡＦ／ＡＥ演算部
１２７    キーコントローラ
１２８    バッファメモリ
１２９    内部メモリ
１２００    バス
１３０    画像表示部
１４０    外部記録媒体
１５０    レリーズスイッチ
１６０    撮影モードスイッチ
１７０    ズームスイッチ
１８０    移動センサ
２００    流体収容器
２００ａ    チューブ
２００ｂ    キャップ
２０１    親水性膜
２０２    撥水性膜
２０３    絶縁膜
２１０    陽極
２２０    陰極
２２０ａ    電極
２２０ｂ    透明トランジスタ
２３０    電源
２４０    電圧制御部
２４１    Ｘ方向ドライバ
２４０Ｘ，２４０Ｙ    駆動線
２４２    Ｙ方向ドライバ
４０１    導電性流体
４０２    絶縁性流体
【図１】
2006235476.tif 000003
【図２】
2006235476.tif 000004
【図３】
2006235476.tif 000005
【図４】
2006235476.tif 000006
【図５】
2006235476.tif 000007
【図６】
2006235476.tif 000008
【図７】
2006235476.tif 000009
【図８】
2006235476.tif 000010